(57)【要約】      （修正有）【課題】襟飾りの通気部が、シャツの襟元の開放部の前面に位置してその開放部を覆い込むように着装したときに、着装後に通気部に生じてくる形状の崩れや乱れを、効果的に防止して、その通気部を、着装時の整った形状に永く保持せしめ得るようにする襟飾りを提供する。【解決手段】主体部ａの上半部位の左右の肩部に、シャツの襟首部の立ち代の外面側に対し装脱自在に止着せしめる取付帯部ｂを装設し、主体部ａの上半部位で、シャツを開襟とすることで形成される開放部と重なる部位には、通気部ｃを装設している襟飾りにおいて、ステンレススティール等のバネ性を有する金属材の線材により、通気部ｃの形状に倣う形状の骨組みと取付帯部ｂの形状に倣う骨組みとが一体に連続して合体した合体骨組みを組み立て、この合体骨組みを、前記主体部の上半部位に装設せる通気部ｃ及び主体部の上半部位の左右の肩部に装設せる取付帯部ｂの内部に、芯材として組み込む。【選択図】図９
0003191061.tif 000002
【実用新案登録請求の範囲】
【請求項１】
主体部（ａ）の上半部位の左右の肩部に、シャツ（１）の襟首部の立ち代（１０）の外面側に対し装脱自在に止着せしめる取付帯部（ｂ）を、左右にそれぞれ袖状に突出するように装設し、主体部（ａ）の上半部位で、襟飾り（Ａ）の着装状態時において、シャツ（１）を開襟とすることで形成される開放部（Ｙ）と重なる部位には、メッシュまたはレースなどの通気性のよい薄手の生地で形成せる通気部（ｃ）を装設している襟飾りにおいて、ステンレススティール等のバネ性を有する金属材の線材の加工により、通気部（ｃ）の形状に倣う形状の骨組み（Ｈ１）と取付帯部（ｂ）の形状に倣う骨組み（Ｈ２）とが一体に連続して合体した合体骨組み（Ｈ）に組み立て、この合体骨組み（Ｈ）を、前記主体部（ａ）の上半部位に装設せる通気部（ｃ）及び主体部（ａ）の上半部位の左右の肩部に装設せる取付帯部（ｂ）の内部に、芯材として組み込んだことを特徴とする襟飾り。
【請求項２】
前記合体骨組み（Ｈ）には、その合体骨組み（Ｈ）の表側及び裏側の両面に、メッシュ、レース等の通気性の良い薄手の生地を被覆し添着して、通気部（ｃ）と取付帯部（ｂ）とを形成し、かつ、外周の輪郭部に、幅方向の中央部位において折り返されて断面Ｖ字状に形成してある細幅の生地の条片を、巻き付けて合体骨組み（Ｈ）の外周縁部に縫着せしめていることを特徴とする請求項１記載の襟飾り。
【考案の詳細な説明】
【技術分野】
【０００１】
本考案は、洋服の襟元に着けるネクタイ・ブローチ等の襟飾りのうちで、着装する洋服のシャツの襟元部を開襟の状態としたところに、その開襟とした状態を保持せしめるように着装し、かつ、着装により、開襟の状態となっている襟元部位に、メッシュに編成した通気性の良い通気部が位置してくるようにしてある形態の襟飾りについての改良に関する。
【背景技術】
【０００２】
洋服の襟元に着けるネクタイ・ブローチ等の襟飾りのうちで、着装する洋服のシャツの襟元部を開襟の状態としたところに、その開襟とした襟元部を、開襟の状態に保持せしめるように取り付け、かつ、取り付けたときに、シャツの開襟の状態とした襟元部と対向する部位を、通気性の良いメッシュで編成した通気部に編成してある形態の襟飾りは、実用新案登録第３１８６５２２号、同第３１８６５２３号の登録実用新案公報にあるように、本願の出願人が既に開発して公知のものとなっている。
【０００３】
この形態の襟飾りは、胸元の第１ボタンを外して開襟の状態としたシャツの襟元部位に着装する襟飾りであり、それの着装により、シャツの襟元部を開襟とした状態に保持せしめるとともに、シャツの襟元を開襟とすることで、その襟元部に形成される開放部を、その開放部に重なる襟飾りの主体部の上半部で塞ぎ、かつ、この開放部に重なる襟飾りの主体部の上半部分を、メッシュまたはレースに編成した通気性の良い生地で形成して、通気部に成形し、開襟の状態としたシャツの襟元の開放部を介しての襟首付近に対する通気が良好に保持されるようにしている襟飾りである。
【０００４】
そして、襟飾りのシャツの襟元部に対する着装が、襟飾りの主体部の上縁部に、それぞれ左右に張り出す細巾の条片状の取付帯部を設けて、これら取付帯部を、第１ボタンを外して開襟の状態としたシャツの襟元の、ボタンが付設される右襟側の立ち代、及びボタンホールが付設される左襟側の立ち代それぞれの外面にそれぞれ当接して、取付帯部と立ち代との間に設けておく止着部材を介し、その立ち代の外面に止着することで行われているものである。
【０００５】
この形態の襟飾りＡは、飾りの要部となる主体部ａの上半部が、通気部ｃに構成され、その通気部ｃが、メッシュ、レース等の通気性の良い薄手の生地により構成されることで、形状に変形が生じ易いことから、着装後に、飾りの要部となる部分の形状に乱れや崩れが生じて、見苦しいものとなる問題がある。
【０００６】
メッシュ、レース等の通気性の良い薄手の生地により形成する通気部ｃの形状を所定の形状に保持させるために、その生地に、細径の金属線材を編み込み、その金属線材により、通気部ｃの形状を整形するとともに、整形した形状に保持せしめる手段は知られている。しかし、この金属線材を用いて整形する手段を施しても、通気部ｃの形状には、襟飾りＡの着装後に、すぐに崩れや乱れが生じてくる。
【先行技術文献】
【特許文献】
【０００７】
【特許文献１】実用新案登録第３１８６５２２号公報、実用新案登録第３１８６５２３号公報
【考案の概要】
【考案が解決しようとする課題】
【０００８】
本考案において解決しようとする課題は、開襟の状態としたシャツ１の襟元に、飾りの要部となる上縁部分がメッシュ、レースなどで成形されて通気性の良い通気部ｃに構成してある襟飾りＡを、それの通気部ｃが、シャツ１の襟元の開放部Ｙの前面に位置してその開放部Ｙを覆い込むように着装したときに、着装後にすぐに襟飾りＡの飾りの要部となる通気部に生じてくる形状の崩れや乱れを、効果的に防止して、その通気部ｃを、着装時の整った形状に永く保持せしめ得るようにする手段を提供する点にある。
【課題を解決するための手段】
【０００９】
本考案は、上述の課題を達成するためになされたものであるが、前述した、襟飾りの着装後に生じてくる通気部の形状の崩れ、乱れの問題について、種々の検討を加えたところ、この通気部の形の崩れ、乱れは、通気部の左右の肩部にそれぞれ外側に張り出すように設けられている取付帯部から伝えられる該取付帯部の動きに起因して生じていること、そして、この取付帯部の動きは、該取付帯部を止着しているシャツの襟元部の立ち代の動きによるものであり、その立ち代は、シャツの襟元を開襟の状態としていることで、襟先と共に自由に動く不安定な状態にあって、動きをとめて一定の位置に安定させることが困難なことが判り、このことから、金属線材の編み込み、または組み込みにより通気部だけを整形しても効果をあげるようにはならないことが判ってきた。
【００１０】
そこで、さらに検討を加えたところ、通気部に、金属線材の組み立て加工により通気部の形状に倣う形状の骨組みを組み立て、この骨組みを通気部の内部に芯材として組み込み、通気部の整形を図る際、その骨組みを、通気部の肩部から張り出す取付帯部の骨組みまで取り込んだ、取付帯部の骨組みと通気部の骨組みとが一体に連続する骨組みに編成しておけば、襟飾りを着装した人の身体の動きによりシャツの襟元部の立ち代が動いて、それにより、立ち代に止着した取付帯部が動いたとき、通気部が一緒に動くようになって、取付帯部の、通気部に対する動きがなくなり、これにより生じていた通気部の形状の崩れや乱れが防止し得るようになることに想到した。
【００１１】
このことから、本考案においては、上述の課題を解決するための手段として、主体部の上半部位の左右の肩部に、シャツの襟首部の立ち代の外面側に対し装脱自在に止着せしめる取付帯部を、左右にそれぞれ袖状に突出するように装設し、主体部の上半部位で、襟飾りの着装状態時において、シャツを開襟とすることで形成される開放部と重なる部位には、メッシュまたはレースなどの通気性のよい薄手の生地で形成せる通気部を装設している襟飾りにおいて、ステンレススティール等のバネ性を有する金属材の線材の加工により、通気部の形状に倣う形状の骨組みと取付帯部の形状に倣う骨組みとが一体に連続して合体した合体骨組みに組み立て、この合体骨組みを、前記主体部の上半部位に装設せる通気部及び主体部の上半部位の左右の肩部に装設せる取付帯部の内部に、芯材として組み込んだことを特徴とする襟飾りを提起し、また、これに併せて、
前記合体骨組みには、その合体骨組みの表側及び裏側の両面に、メッシュ、レース等の通気性の良い薄手の生地を被覆し添着して、通気部と取付帯部とを形成し、かつ、外周の輪郭部に、幅方向の中央部位において折り返されて断面Ｖ字状に形成してある細幅の生地の条片を、巻き付けて合体骨組みの外周縁部に縫着せしめていることを特徴とする襟飾りを提起するものである。
【考案の効果】
【００１２】
本考案手段による襟飾りは、通気部内に芯材として組み込むバネ性を有する金属材の線材で組み立てた骨組みは、取付帯部の骨組みと一体に連続させて、それらが合体する合体骨組みに構成しているのだから、取付帯部が動いたとき通気部が一緒に動くようになって、取付帯部が通気部に対して動くことで生じていた通気部の形の崩れ、乱れを、効果的に防止し得るようになる。
【図面の簡単な説明】
【００１３】
【図１】本考案を実施せる襟飾りを着装するシャツの襟元部の正面図である。
【図２】同上シャツの、襟元の折り返しを立てた状態における正面視の斜視図である。
【図３】同上の襟飾りの正面図である。
【図４】同上の襟飾りの、シャツの襟元部に装着した状態時の正面図である。
【図５】同上襟飾りの、着装時の状態時における表面側から見た正面図である。
【図６】同上の襟飾りの同上状態時の裏面側から見た正面図である。
【図７】同上の襟飾りの通気部の芯に装入する骨組みの正面図である。
【図８】同上の骨組みの斜視図である。
【図９】同上の骨組みの、表面側と裏面側との両面のそれぞれの全面と、メッシュまたはレースなどの、通気性の良い薄手の生地を被せて添着して、通気部及び取付帯部に仕立て、さらに外周の輪郭部に、断面Ｖ字状に成形してある細巾の生地の条片を巻き付けて骨組みの外周縁に縫着した状態の斜視図である。
【図１０】同上状態の骨組みの、構成を説明する横断平面図である。
【図１１】本考案手段の別の実施例の襟飾りの前面図である。
【図１２】同上の襟飾りの通気部に芯材として組み込む骨組みの正面図である。
【図１３】同上の骨組みの斜視図である。
【図１４】同上の骨組みの構成を説明する横断平面図である。
【図１５】同上の骨組みを、襟飾りの主体部に組み込む工程を説明する同上骨組みと主体部との斜視図である。
【考案を実施するための形態】
【００１４】
次に、本考案の実施の態様を、実施例につき図面に従い詳述する。
【実施例１】
【００１５】
図１乃至図１０は、本考案手段の第１の実施例を示す。これら図において、Ａは本考案手段を実施せる襟飾りの全体、ａはその襟飾りＡの主体部、ｂはその主体部ａの上半部分の左右の肩部に、それぞれ外側に向けて張り出すように設けた取付帯部、ｃは、主体部ａの上半側の部位に装設した通気部を示し、また、１は本考案を実施せる襟飾りＡを着装する際に、着衣するシャツ、１０はそのシャツ１の襟首部の立ち代、Ｕはシャツ１の右襟の襟元部に取り付けられている第１ボタン、Ｗはシャツ１の左襟の襟元部に開設してある第１ボタンホール、Ｙは第１ボタンＵと第１ボタンホールＷとの嵌め合いを外して、シャツ１を開襟の状態としたときに、左襟と右襟との間に形成される開放部を示す。
【００１６】
襟飾りＡは、シャツ１の襟元への着装によりその襟元から帯状に垂れ下がるようになる主体部ａと、その主体部ａの上半側の部位の左右の肩部からそれぞれ外側に張り出すように突出する取付帯部ｂとからなるこの種の形態の襟飾りと同様のものである。
【００１７】
取付帯部ｂは、襟飾りＡをシャツ１の襟元に止着するためのもので、シャツ１の襟元の立ち代１０の外面に当接して止着することから、その立ち代１０の上下高さに対応する幅の条片状に形成してある。
【００１８】
そして、この取付帯部ｂの立ち代１０の外面に対する止着は、この例においては、襟飾りＡを、シャツ１の襟元の第１ボタンＵと第１ボタンホールＷとの嵌め合いを外して、開襟の状態としたところに装着することから、嵌め合いが外されて、遊んだ状態にあるシャツ１の襟元の第１ボタンＵと第１ボタンホールＷを利用して、ボタンとボタンホールとの嵌め合い係合によって行えるようにしている。
【００１９】
このため、主体部ａの左右の肩部に設けている左右の取付帯部ｂのうちの右側の取付帯部ｂの裏面側には、シャツ１の左襟に設けてある第１ボタンホールＷと対向する部位に、その第１ボタンホールＷとの嵌合を可能とした止着ボタンｄが取り付けられ、また、左側の取付帯部ｂの裏面側には、シャツ１の右襟に設けてある第１ボタンＵと対向する部位に、その第１ボタンＵとの嵌合を可能とした止着ボタンホールｅが、該左側の取付帯部ｂの表面側に貫通する状態に形設してある。
【００２０】
通気部ｃは、襟飾りＡを、開襟の状態としたシャツ１の襟元部に装着したときに、開襟としたことでシャツ１の襟元に形成される開放部Ｙを覆い隠すとともに開放部Ｙへの通気を良好に保持せしめるよう機能させるためのものであって、襟飾りＡを着装したときに、開襟としてあるシャツ１の襟元の開放部Ｙと重合する位置を占める該襟飾りＡの主体部ａの上半部位に装設するが、この例においては、通気部ｃを主体部ａの上半部の全域に設けて、その上半部を構成するように装設してある。
【００２１】
この通気部ｃは、メッシュまたはレースなどの、通気性が良好な薄手の生地をもって形成するが、この例においては、形成した通気部ｃを、所定の形状に整形して保持せしめるために、内部に、芯材となる骨組みＨを、バネ性を有する金属材の線材Ｓで組み立てて、組み込み、埋設するようにしている。
【００２２】
そして、その骨組みは、この例においては、金属材の線材として、外径が０．５ミリのステンレススティールの鋼線を用い、それの折り曲げ、接着等の組み立て加工により、外部の形状が通気部ｃの輪郭形状に対応する形状の骨組みＨ１を形成する際、その骨組みＨ１が、取付帯部ｂの内部に装設する取付帯部ｂの骨組みＨ２と一体に連続して、図７および図８に示している如く、通気部ｃの骨組みＨ１と取付帯部ｂの骨組みＨ２とが合体した合体骨組みＨを構成するように組み立てている。
【００２３】
そして、この組み立てた合体骨組みＨの表面側と裏面側との両面の全面に、メッシュ、レース等の、通気性の良い薄手の生地ｆを、被せて骨組みＨに添着し、これにより、通気部ｃを、取付帯部ｂが一体に連続する態様のものに構成するが、このメッシュ、レース等の通気性の良い生地ｆを添着する際、取付帯部ｂを構成する骨組みＨ２には、止着ボタンｄ及び止着ボタンホールｅを装設する際の補強材として、厚手の生地ｇを装入しておき、これの表面側と裏面側に前記通気性の良い生地ｆを添着するようにしている。
【００２４】
また、上述の如く、通気部ｃと取付帯部ｂとが一体に連続する態様に仕上げた合体骨組みＨの外周の輪郭部には、図９に示しているように、幅方向の中央部位における長手方向に沿う仮想の線を折り曲げ線として左右から折り返すことで断面Ｖ字型をもって連続する紐状に形成してある細幅の生地の条片ｈを、巻き付け、合体骨組みＨに縫着して組み付けることで、補強と飾りを兼ねる縁取りを行って、通気部ｃ及び取付帯部ｂに仕立てるようにしている。
【００２５】
そして、この通気部ｃ及び取付帯部ｂに仕立てた合体骨組みＨは、それの下縁から垂れ下がる通気性の良い生地ｆの下縁または、合体骨組みＨの下縁を、別に形成してある主体部ａの下半部の上縁部に対し縫着することで、主体部ａに組み立て、これにより襟飾りＡが構成されるようにしている。
【実施例２】
【００２６】
図１１乃至図１５は、本考案手段による襟飾りＡの別の実施例を示している。この実施例は、襟飾りＡの主体部ａの上半部位に設ける通気部ｃを、主体部ａの上半部位の一部に設けている例である。この点を除いた襟飾り自体の構成は前述の実施例１の襟飾りと変わりなく、同様に構成してある。
【００２７】
即ち、襟飾りＡは、シャツ１の襟首部に着装したときに、襟元部から帯状に垂れ下がる主体部ａと、その主体部ａの上半部の左右の肩部からそれぞれ外側に張り出す取付帯部ｂと、主体部ａの上半部位に装設する通気部ｃとにより構成してあること、そして、それの通気部ｃには、バネ性のある細径の金属材の線材の組み立て加工により、通気部ｃの形状に倣う形状に組み立てた骨組みＨ１を、芯材として装入して埋設すること、その骨組みＨ１は、取付帯部ｂ内に装入して埋設する取付帯部ｂの骨組みＨ２と一体に連続して合体する合体骨組みＨに構成してあることについては、前述した第１の実施例のものと変わりがない。
【００２８】
しかし、この例における通気部ｃは、外周の輪郭形状が、図１１の図に示しているように、正面視において、倒立した三角錐状をなす形状に形成してあり、かつ、主体部ａの上半部の左右方向における中央部位に、該通気部ｃの上縁が、主体部ａの上半部の上縁に揃う状態として、組み付けてある。
【００２９】
また、この通気部ｃの、主体部ａの上半部に対する組み付けは、主体部ａの上半部の中央部位に、図１５の下半側に示している如く、Ｖ字状に切除した切欠部Ｘを形設しておき、かつ、取付帯部ｂの上縁及び前記切欠部Ｘの周縁を含めた主体部ａの上半部の上縁部には、通気部ｃの骨組みＨ１と取付帯部ｂの骨組みＨ２とを合体させた合体骨組みＨを嵌挿せしめるための嵌め込み溝Ｖを形設しておいて、この嵌め込み溝Ｖ内に、合体骨組みＨを挿入し、その挿入後に、嵌め込み溝Ｖの開口部を縫着などの手段で閉じ合わせることで、骨組みＨの組み込みが行われるようにしている。
【００３０】
なお、この合体骨組みＨの主体部ａに対する組み付けの際、その合体骨組みＨは、図１３に示しているように、それの表面側と裏面側との両面の全面に、メッシュ、レース等の通気性が良好な生地ｆを、それぞれ被覆状態に添着し、通気部ｃと取付帯部ｂとが連続した状態に仕上げ、これを、前記嵌め込み溝Ｖに挿入するが、このとき、合体骨組みＨには、通気性の良好な生地の添着を行わず、また、取付帯部ｂの骨組みＨ２に対する厚手の生地ｇの組み付けも行わないで、裸の状態のまま、嵌め込み溝Ｖ内に挿入して主体部ａに組み付け、ステンレススティールの線材などの、金属製の細線で組み立てた骨組みＨ１自体をもって通気部ｃを構成するようにする場合がある。
【００３１】
そして、この合体骨組みＨの組み込みにより構成される襟飾りＡの左右の取付帯部ｂのそれぞれの裏面側には、前述の第１の実施例のものと同様に、シャツ１の第１ボタンＵと対応する止着ボタンホールｅ及び第１ボタンホールＷと対応する止着ボタンｄが設けられ、表面側には、前記止着ボタンｄと重合する部位に、図４及び図１５において鎖線で示している如く、飾りボタンＫが設けられる。
【符号の説明】
【００３２】
Ａ    襟飾り
Ｈ    合体骨組み
Ｈ１  通気部に組み込む骨組み
Ｈ２  取付帯部の骨組み
Ｋ    飾りボタン
Ｓ    金属材の線材
Ｕ    第１ボタン
Ｖ    嵌め込み溝
Ｗ    第１ボタンホール
Ｘ    切欠部
Ｙ    開放部
ａ    主体部
ｂ    取付帯部
ｃ    通気部
ｄ    止着ボタン
ｅ    止着ボタンホール
ｆ    薄手の生地
ｇ    厚手の生地
ｈ    細幅の生地の条片
１    シャツ
１０    立ち代
【図１】
0003191061.tif 000003
【図２】
0003191061.tif 000004
【図３】
0003191061.tif 000005
【図４】
0003191061.tif 000006
【図５】
0003191061.tif 000007
【図６】
0003191061.tif 000008
【図７】
0003191061.tif 000009
【図８】
0003191061.tif 000010
【図９】
0003191061.tif 000011
【図１０】
0003191061.tif 000012
【図１１】
0003191061.tif 000013
【図１２】
0003191061.tif 000014
【図１３】
0003191061.tif 000015
【図１４】
0003191061.tif 000016
【図１５】
0003191061.tif 000017